(57)【要約】【課題】植物の配置や管理が容易な立体花壇装置、及び立体花壇の形成方法を提供する。【解決手段】立体花壇装置は、所望の立体形状に形成され、立体形状の表面に鉢状部材を着脱自在に保持するための穴が複数形成された基礎構造体を有し、その穴に、植物を把持する鉢状部材が植え込まれることによって形成される。鉢状部材は、複数個の部品に分割可能であり、その複数個の部品が組み合わされた状態で植物を把持可能に構成されるとともに、保持部材が装着されることによって、その複数個の部品が組み合わされた状態に保持される。これによれば、鉢状部材によって植物を把持することが簡単であるとともに、基礎構造体に、植物を把持した鉢状部材を植え込むことが簡単となり、容易に、立体花壇を形成できる。【選択図】図１３
2009291147.tif 000002
【特許請求の範囲】
【請求項１】
複数個の部品に分割可能であり、その複数個の部品が組み合わされた状態で植物を把持可能な本体部材と、その本体部材に対して着脱自在であり、本体部材を、複数個の部品が組み合わされた状態に保持するための保持部材と、を有する鉢状部材と、
所望の立体形状に形成され、立体形状の表面に前記鉢状部材を着脱自在に保持するための鉢状部材保持部が複数形成された基礎構造体と、
を備え、前記基礎構造体の前記鉢状部材保持部のそれぞれに、植物を把持する前記鉢状部材が保持されてなることを特徴とする立体花壇装置。
【請求項２】
請求項１に記載の立体花壇装置において、
前記鉢状部材は、外部から与えられる水を吸水して、その水を、その鉢状部材が把持する植物の根元に導く吸水部材を備えていることを特徴とする立体花壇装置。
【請求項３】
請求項１又は請求項２に記載の立体花壇装置において、
前記鉢状部材保持部は所定の深さを有する穴状に構成され、
前記鉢状部材は、穴状の前記鉢状部材保持部に埋め込まれて保持されることを特徴とする立体花壇装置。
【請求項４】
請求項１又は請求項２に記載の立体花壇装置において、
前記鉢状部材保持部は、平行な二本のレール部材を備え、
前記本体部材は、植物を把持する胴体部が前記レール部材の軌間よりも幅狭に構成される一方、その軌間よりも幅広に構成された上板部をその胴体部の上部に有し、
前記鉢状部材は、前記上板部における前記胴体部側の面が前記レール部材上に載置されることによって保持されるようになっていることを特徴とする立体花壇装置。
【請求項５】
複数個の部品に分割可能であり、その複数個の部品が組み合わされた状態で植物を把持可能な本体部材と、その本体部材に対して着脱自在であり、本体部材を、複数個の部品が組み合わされた状態に保持するための保持部材と、前記本体部材の底部から外側に突出する１ないし複数の串状部材と、を有する鉢状部材と、
所望の立体形状に形成された基礎構造体と、
を備え、前記基礎構造体の表面に、植物を把持する前記鉢状部材が前記串状部材を介して固定されてなることを特徴とする立体花壇装置。
【請求項６】
複数個の部品に分割可能であり、その複数個の部品が組み合わされた状態で植物を把持可能な本体部材と、その本体部材に対して着脱自在であり、本体部材を、複数個の部品が組み合わされた状態に保持するための保持部材と、を有する鉢状部材に所望の植物を把持させ、
所望の立体形状の基礎構造体を形成すると共に、その基礎構造体の表面に前記鉢状部材を保持可能な鉢状部材保持部を複数形成し、
前記基礎構造体の前記鉢状部材保持部のそれぞれに、植物を把持した前記鉢状部材を保持させることを特徴とする立体花壇の形成方法。
【発明の詳細な説明】
【技術分野】
【０００１】
本発明は、立体花壇装置、及び立体花壇の形成方法に関する。
【背景技術】
【０００２】
従来、動物や人型などの形状に植物を装飾的に配置した立体花壇が知られている。
例えば、ワイヤー等で動物や人型の形状に骨組み（基礎構造）を形成し、その基礎構造の内部に培土を入れ、基礎構造の表面（培土の表面）に沿って所望の植物を植え付けていく方法が提案されている（例えば特許文献１参照）。この種の立体花壇では、植物が予めポッドなどで育てられ、その植物がポッドから取り外されて基礎構造に植え付けられる方法が採られることがあるが、その際、根が傷んでしまう場合があった。
【０００３】
例えば、植物をポッドから基礎構造に植え替えた際、根と基礎構造の培土との間に抵抗ができて根が傷む（根に負担がかかる）場合があった。また、基礎構造の限られたスペースに植物を植え付けるために、その植物の根をある程度取り除かなくてはならない場合があった。
【０００４】
一方、そうした問題を解決した立体花壇が、例えば特許文献２に記載されている。
特許文献２の立体花壇は、植物の株が挿入される花株保持具と、花株保持具が取り付けられる立体形状の基枠とからなるものである。つまり、特許文献２の立体花壇は、花株保持具に植物を予め植え付けておき、その花株保持具ごと、立体形状の基枠に取り付けるようにしたものである。
【特許文献１】特開２００１−１６９７５号公報
【特許文献２】実開平０１−１４６８３７号公報
【発明の開示】
【発明が解決しようとする課題】
【０００５】
ところで、特許文献２の立体花壇では、上述したような根が傷むという問題を解決できるかもしれないが、花株保持具の取り付けに手間がかかる虞がある。特許文献２の図３及び図４によれば、花株保持具は、基枠に対し、針金、或いはワイヤーのようなもので縛られて固定される。つまり、作業者は、針金、或いはワイヤーを用いて、花株保持具を基枠に対し固定する必要がある。このため、花株保持具の取り付けは容易ではなく、基枠に対する植物の配置は面倒なものとなっていた。
【０００６】
また、特許文献１や特許文献２の立体花壇では、植物に潅水した場合、基礎構造（基枠）内部に水が染みこみ、植物の根の部分で保水されにくい、というような懸念があった。つまり、植物の生育を管理することは容易ではなかった。
【０００７】
本発明は、こうした問題に鑑みなされたもので、植物の配置や管理が容易な立体花壇装置、及び立体花壇の形成方法を提供することを目的とする。
【課題を解決するための手段】
【０００８】
上記目的を達成するためになされた請求項１に記載の立体花壇装置は、鉢状部材と、基礎構造体とを備えたものである。
鉢状部材は、本体部材と保持部材とを有する。本体部材は、複数個の部品に分割可能であり、その複数個の部品が組み合わされた状態で植物を把持可能に構成されている。保持部材は、その本体部材に対して着脱自在であり、本体部材を、複数個の部品が組み合わされた状態に保持するものである。
【０００９】
基礎構造体は、所望の立体形状に形成され、その表面には、鉢状部材を着脱自在に保持するための鉢状部材保持部が複数形成されている。
そして、この請求項１の立体花壇装置は、基礎構造体の鉢状部材保持部のそれぞれに、植物を把持する鉢状部材が保持されてなるものである。
【００１０】
このような立体花壇装置によれば、鉢状部材において、所望の植物を容易に把持できる。具体的に、まずは本体部材が分割された状態とし、その後植物を把持するようにして本体部材を組み合わせ、本体部材の部品が組み合わされた状態で保持部材により保持すれば、植物が容易に把持される。
【００１１】
また、基礎構造体には、鉢状部材を着脱自在に保持するための鉢状部材保持部が形成されているため、植物を把持する鉢状部材を、基礎構造体に容易に取り付けることができる。このため、基礎構造体に、所望の植物を容易に配置することができる。
【００１２】
このような立体花壇装置によれば、植物を所望の立体形状に配置するのに手間がかかることがない。したがって、立体花壇の形成の工数を大幅に削減することができ有利である。
【００１３】
次に、このような請求項１の立体花壇装置においては、請求項２のように構成すると尚良い。
請求項２の立体花壇装置は、請求項１の立体花壇装置において、鉢状部材は、外部から与えられる水を吸水して、その水を、その鉢状部材が把持する植物の根元に導く吸水部材を備えている。
【００１４】
このような請求項２の立体花壇装置では、外部から例えば散水して水を与えると、その水が吸水部材により吸水されて植物の根元に導かれるため、植物の各々に効率的かつ確実に水を与えることができる。例えば、植物の１つ１つに水を与える、というような手間を省くことができる。このため、植物を枯らしてしまう、という問題が生じることを低減させることができる。したがって、植物の生育の管理が容易となる。
【００１５】
尚、吸水部材としては、例えば不織布等が考えられる。例えば、不織布を、本体部材の外部から、その本体部材における植物を把持する部分まで配設するようにすれば良い。これによれば、外部から与えられた水が不織布により速やかに吸水されると共に、不織布を介して、吸水された水が植物の根元部分に速やかに導かれる。尚、不織布には保水効果もあるため、頻繁に水を与えなくてはならない、というような問題も回避することができる。
【００１６】
また、他には、例えばスポンジ状の部材を、本体部材の外部から、その本体部材における植物を把持する部分まで配設するようにしても良い。更に言えば、スポンジ状の部材において植物を育成し（スポンジ状の部材中に根を張らせ）、本体部材により、植物をそのスポンジ状の部材ごと把持するようにしても良い。
【００１７】
次に、請求項１、２の立体花壇装置では、具体的に、請求項３のように構成すると良い。
請求項３の立体花壇装置では、鉢状部材保持部は所定の深さを有する穴状に構成され、鉢状部材は、穴状の鉢状部材保持部に埋め込まれて保持されるようになっている。
【００１８】
このような請求項３の立体花壇装置によれば、鉢状部材を穴状の鉢状部材保持部に埋め込むだけで良いため、植物の配置がより簡単となる。よって、立体花壇の形成の工数をさらに低減できるようになる。
【００１９】
また、請求項１、２の立体花壇装置では、請求項４のように構成しても良い。
請求項４の立体花壇装置は、請求項１、２の立体花壇装置において、鉢状部材保持部は、平行な二本のレール部材を備え、本体部材は、植物を把持する胴体部がレール部材の軌間よりも幅狭に構成される一方、その軌間よりも幅広に構成された上板部をその胴体部の上部に有し、鉢状部材は、上板部における胴体部側の面がレール部材上に載置されることによって保持されるようになっている。
【００２０】
このような立体花壇装置によれば、本体部材の胴体部がレール部材よりも幅狭に構成されているため、本体部材の胴体部を、レール部材の内側に簡単に配置することができる。そして、本体部材は、レール部材の軌間よりも幅広な上板部を有しているため、その上板部をレール部材上に載置するだけで、鉢状部材を基礎構造体に配置できるようになる。しかも、上板部をレール部材上で滑らすことによって、鉢状部材の移動も非常に簡単なものとなる。
【００２１】
このような請求項４の構成によれば、鉢状部材を所望の位置に配置することが更に容易となる。つまり、立体花壇の形成がより簡単となる。したがって、立体花壇の形成の工数を削減することができる。
【００２２】
次に、請求項５の発明は、複数個の部品に分割可能であり、その複数個の部品が組み合わされた状態で植物を把持可能な本体部材と、その本体部材に対して着脱自在であり、本体部材を、複数個の部品が組み合わされた状態に保持するための保持部材と、本体部材の底部から外側に突出する１ないし複数の串状部材と、を有する鉢状部材と、所望の立体形状に形成された基礎構造体と、を備え、基礎構造体の表面に、植物を把持する鉢状部材が串状部材を介して固定されてなることを特徴とする立体花壇装置である。
【００２３】
このような立体花壇装置では、例えば作業者は、鉢状部材が備える串状部材を基礎構造体に突き刺すことによって、鉢状部材を基礎構造体に容易に固定（配置）することができる。このため、植物を所望の立体形状に配置することに手間がかかることがなく、立体花壇の形成の工数を削減することができる。
【００２４】
次に、請求項６の発明は、複数個の部品に分割可能であり、その複数個の部品が組み合わされた状態で植物を把持可能な本体部材と、その本体部材に対して着脱自在であり、本体部材を、複数個の部品が組み合わされた状態に保持するための保持部材と、を有する鉢状部材に所望の植物を把持させ、所望の立体形状の基礎構造体を形成すると共に、その基礎構造体の表面に鉢状部材を保持可能な鉢状部材保持部を複数形成し、基礎構造体の鉢状部材保持部のそれぞれに、植物を把持した鉢状部材を保持させることを特徴とする立体花壇の形成方法である。
【００２５】
このような立体花壇の形成方法によれば、請求項１の効果と同様の効果を得ることができる。
【発明を実施するための最良の形態】
【００２６】
以下に、本発明の実施形態を図面に基づき説明する。
［第１実施形態］
図１は、本発明の立体花壇装置１の模式図（一例）を表す図面である。尚、実際の立体花壇装置１の写真を図１３に示す。
【００２７】
立体花壇装置１は、基礎構造体１０（図２参照）と、鉢状部材２０（図３〜９参照）とからなる。具体的に、鉢状部材２０により植物が把持され、植物を把持したその鉢状部材２０が基礎構造体１０に植え込まれることによって、立体形状の花壇が形成される（図１３参照）。
【００２８】
図２に示す基礎構造体１０は、例えば、所望の立体形状に形成された発泡体（例えば発泡スチロール）が、金属等からなる１ないし複数本の芯線により支持されることによって形成される。この手法は、立体形状の全体の大きさが比較的小さい場合（例えば高さ１．５ｍ未満程度）に用いることができる。
【００２９】
尚、金属等により所望の立体形状の骨組みを形成し、骨組みの間を発泡体（発泡スチロール）で満たすことによって、基礎構造体１０を形成するようにしても良い。これによれば、発泡対のみによって立体形状を形成して芯線で支持する前述の方法と比較して、全体の強度を向上させることができる。この手法は、立体形状の全体の大きさが比較的大きい場合（例えば高さ１．５ｍ以上）に用いると良い。
【００３０】
基礎構造体１０の表面（例えば発泡体の表面）には、図２に示すように、鉢状部材２０が埋め込まれるための鉢状部材保持穴１１が、その表面に敷き詰められるようにして複数形成される。鉢状部材保持穴１１は、その穴の深さが少なくとも鉢状部材２０（詳細は後述する）が収まる深さとなるように構成される。
【００３１】
尚、図２に示す基礎構造体１０の形状は一例であり、基礎構造体１０は、所望の立体形状に形成されるものである。
次に、鉢状部材２０について、図３〜９を用いて説明する。
【００３２】
図３は鉢状部材２０の斜視図、図４は鉢状部材２０の正面図（Ｎ矢視図）、図５は鉢状部材２０の側面図（Ｍ矢視図）、図６は鉢状部材２０の底面図（Ｌ矢視図）である。
鉢状部材２０は、本体部材３０（詳細は例えば図７参照）と、保持部材５０（詳細は例えば図８参照）と、止め具７０（詳細は例えば図９参照）と、を備えている。
【００３３】
図７は本体部材３０の詳細図（より具体的には、本体部材３０を構成する部品ａ，ｂの詳細図）、図８は保持部材５０の詳細図、図９は止め具７０の詳細図である。
まず、本体部材３０を主に説明する。尚、以下の説明にて、本体部材３０において次第に先細となる部分（図３における左側）を下側とし、その反対側（図３における右側）を上側とする。また、本体部材３０は、互いに同じ形状を有する部品３０ａと部品３０ｂとを組み合わせてなるものであるが（言い換えると、本体部材３０は、部品３０ａ，３０ｂに分割可能である）、以下、部品３０ａ，３０ｂを組み合わせた状態の本体部材３０について説明する。
【００３４】
本体部材３０は、植物を把持するため（具体的に、植物の根の部分を把持するため）の胴体部４８を有する（例えば図４，５参照）。
胴体部４８は、植物の根の部分を受け入れるための空間を有するように、略円筒状に形成されている。尚、胴体部４８の上側の直径と下側の直径とでは、下側の直径のほうが若干小さくなるように形成されている。
【００３５】
また、胴体部４８の側壁３７には、開口３７ａが複数（具体的に、４つ）設けられている（図３〜５、７参照）。開口３７ａは、胴体部４８の長手方向に細長な台形形状を有するように形成されている。この開口３７ａは、植物の根腐れを防止すべく、通気口の役割や水はけを良くする役割を果たすものである。
【００３６】
また、胴体部４８の側壁３７のうち、３７ｂで示す部分（例えば図３参照）は他の部分よりも肉厚に構成されており、その厚み分だけ外側に突出している。尚、以下、３７ｂで示す部分を厚壁３７ｂと記載する。厚壁３７ｂは、側壁３７において、互いに対向するように２箇所に設けられている。
【００３７】
この厚壁３７ｂは、胴体部４８の長手方向に細長な長方形状を有する（図３、７参照）。また、厚壁３７ｂは、開口３７ａの間に設けられている。言い換えると、開口３７ａが厚壁３７ｂの両側に位置するように設けられている。
【００３８】
胴体部４８の上側には、円筒形状の円周方向に沿って、保持部材５０が嵌め込まれるためのＵ字状の溝（以下、保持部材用Ｕ字溝と記載する）３３が形成されている（図７参照）。尚、前述の厚壁３７ｂは、保持部材用Ｕ字溝３３まで延び出しており、その保持部材用Ｕ字溝３３と重なる部分における溝を埋めるように設けられている（図７参照）。
【００３９】
また、胴体部４８の下側には、円筒形状の円周方向に沿って、止め具７０が嵌め込まれるためのＵ字状の溝（以下、止め具用Ｕ字溝と記載する）３４が形成されている（図７参照）。尚、前述の厚壁３７ｂは止め具用Ｕ字溝３４まで延び出しておらず、止め具用Ｕ字溝３４は全周に沿って連続して形成されている（図７参照）。
【００４０】
次に、胴体部４８の上側には、その胴体部４８と一体的に、薄板状の天板３１が形成されている（図３〜７参照）。
天板３１は、外形が正六角形状に構成されるとともに、少なくとも、平行な対辺の幅が胴体部４８の外径（直径）よりも大きくなるように形成されている。天板３１の中心領域には、胴体部４８における空間とつながる円形の開口３６が形成されている（例えば図７参照）。
【００４１】
また、天板３１と胴体部４８との間（天板３１と保持部材用Ｕ字溝３３との間）には、保持部材用Ｕ字溝３３と隣り合うようにしてＵ字状の溝３２が形成されている（図３〜４、７参照）。以下、このＵ字状の溝３２のことを単に溝３２と記載する。
【００４２】
溝３２の途中には、等間隔に２カ所、細長の開口３２ａが設けられている（図３、５、７参照）。具体的に、開口３２ａは、溝３２のうち、前述の厚壁３７ｂの上側の部分に設けられている。この開口３２ａを介して、胴体部４８における内部の空間と外部とが連通する。
【００４３】
次に、底部４９は、下側に向かって次第に先細となり、内部に空間を有する略円錐状に形成されている（図３〜７参照）。底部４９の側壁３９には、下側に向かって次第に先細となる二等辺三角形状の開口３９ａが複数（具体的に、４つ）設けられている。開口３９ａは、前述の開口３７ａと同様、植物の根腐れを防止すべく、通気口の役割や水はけを良くする役割を果たす。
【００４４】
また、側壁３９には、その側壁３９から突出するように、突出部材３５が複数（具体的に、４つ）設けられている。突出部材３５は、底部４９の下端から上側に向かって次第に突出量が大きくなるように、かつ下端から上側に向かって細長に形成されている。この突出部材３５は、側壁３９において、開口３９ａ同士の間に位置するように等間隔に４箇所に設けられている。
【００４５】
この突出部材３５は、鉢状部材２０を基礎構造体１０の鉢状部材保持穴１１に植え込んだ時に、抜け防止用のストッパーとしての役割を果たす。
次に、保持部材５０について、図３〜６，８を参照しつつ説明する。
【００４６】
保持部材５０は、環状に形成されている（例えば図８参照）。そして、保持部材５０は、その保持部材５０における開口部５４に本体部材３０の胴体部４８が挿通されるようにして、胴体部４８の保持部材用Ｕ字溝３３に嵌め込まれる。保持部材５０を構成する枠５１の内側の面は、保持部材用Ｕ字溝３３と嵌合するように、円弧状に突出した形状に構成されている。
【００４７】
図８に示すように、保持部材５０を構成する枠５１の左右方向（図８における左右方向）には、外側にやや突出した突出部５２が設けられている。突出部５２の内側（内径側）には、枠５１の内縁から外側に窪んだ溝５３が形成されている。溝５３は、本体部材３０の側壁３７における厚壁３７ｂと嵌合するように形成されている。つまり、保持部材５０が本体部材３０に装着される際は、本体部材３０の厚壁３７ｂと保持部材５０の溝５３とが嵌合して互いに相対移動するようにして、両者（保持部材５０及び本体部材３０）が組み合わされるようになっている。
【００４８】
次に、止め具７０について、図３〜６，９を参照しつつ説明する。
止め具７０は、環状に形成されている（例えば図９参照）。そして、止め具７０は、その止め具７０における開口部７３に本体部材３０の底部４９が挿通されるようにして、胴体部４８の止め具用Ｕ字溝３４に嵌め込まれる。止め具７０を構成する枠７１の内側の面は、止め具用Ｕ字溝３４と嵌合するように、円弧状に突出した形状に構成されている。
【００４９】
そして、止め具７０を構成する枠７１においては、等間隔に４カ所、その枠７１の外縁から外側に突出する突出部材７２が設けられている。
突出部材７２は、図９における平面図を参照して分かるように、略長方形状を有する。尚、より詳細には、長手方向の辺は円弧状に構成されている。つまり、突出部材７２のうち、止め具７０の枠７１と接する部分の辺は、その枠７１の円弧に沿っているため円弧状となっている。また、突出部材７２のうち、止め具７０の枠７１と接する辺に対向する辺も、所定の直径を有する円の一部として構成されており、円弧状となっている。
【００５０】
また、図９における側面図或いはＡ−Ａ断面図を参照して分かるように、突出部材７２の側断面は次第に先細となる三角形状となっている。
この突出部材７２は、鉢状部材２０を基礎構造体１０の鉢状部材保持穴１１に植え込んだ時に、抜け防止用のストッパーとしての役割を果たす。
【００５１】
このような第１実施形態の立体花壇装置を用いた立体花壇の形成方法について説明する。尚、以下の行為の主体は、所定の作業者である。
まず、所望の植物の根の部分を、本体部材３０の空間に配置し、植物をその本体部材によって把持する。本体部材３０は、前述のように部品ａ，ｂに分割可能であり、部品ａ，ｂを分割した状態で何れか一方に植物を配置し、その後、部品ａ，ｂを組み合わせることによって、本体部材３０により容易に植物を把持することができる。部品ａ，ｂを組み合わせた後は、本体部材３０に保持部材５０、及び止め具７０を装着することによって、部品ａ，ｂが分離しないように保持される。このような構成により、部品ａ，ｂが分離することによって植物が落下してしまう、というような事態が防止される。
【００５２】
尚、実際には、例えば植物の苗を、本体部材３０の空間部分に土や発泡体ごと植え込み、鉢状部材２０において植物を育成させるようにすると良い。一方、植物を他のポッドなどで育成させ、ある程度成長した植物をそのポッドから取り出して、本体部材３０に植え替えるようにしても良い。
【００５３】
そして、所望の植物を把持した鉢状部材２０を必要量用意し、その鉢状部材２０を、基礎構造体１０に設けられた鉢状部材保持穴１１に植え込んでいく。
これにより、基礎構造体１０の表面が植物（植物を把持した鉢状部材２０）で覆われ、立体花壇が完成することとなる（図１３参照）。
【００５４】
このような本第１実施形態の立体花壇装置１によれば、所望の植物を把持した鉢状部材２０を基礎構造体１０の鉢状部材保持穴１１に植え込んでいくだけで、簡単かつ確実に立体花壇を形成することができる。また、鉢状部材２０において植物を苗の状態から育成するようにすれば、例えば他のポッド等で成長させた植物を鉢状部材２０に植え替える、という必要もなく簡単であるとともに、植え替えることにより根に負担がかかってしまうことを防止することができる。このため、植物へのダメージを軽減でき、植物が枯れてしまうような可能性も低減できるため、その後の植物の管理が容易となる。
［第２実施形態］
次に、第２実施形態の立体花壇装置１について、図１０を用いて説明する。尚、第１実施形態と異なる点を中心に説明する。
【００５５】
第２実施形態では、第１実施形態と比較して、鉢状部材２０が、図１０（ａ）に示す導水部材９０を備えている点が異なっている。導水部材９０は、不織布から構成される。尚、図１０（ｂ）には、導水部材９０が配設された鉢状部材２０の概略図を示す。
【００５６】
導水部材９０は、植物と本体部材３０との間に配設されるものであり、図１０（ａ）に示すように、壺状の形状に構成されている。より具体的に、導水部材９０は、鉢状部材２０（本体部材３０）において胴体部４８が形成する円筒状の空間、及び底部４９が形成する円錐状の空間に連続的に収まるような形状に形成されている。
【００５７】
導水部材９０の上側（上端）には、互いに対向する位置に、ひだ９１が設けられている。ひだ９１は、長方形状を有し、導水部材９０の上端の外縁から外側に突出するようにして設けられている。
【００５８】
そして、図１０（ｂ）に示すように、導水部材９０は、鉢状部材２０（本体部材３０）が植物を把持するために有する空間に収められて使用される。この際、その導水部材９０は、本体部材３０の開口３２ａからひだ９１が外側に突出するように収められる。
【００５９】
このような導水部材９０が配設された鉢状部材２０を立体花壇装置１に用いた場合、次のような効果が期待できる。
具体的に、外部から水を与えると、導水部材９０のひだ９１からその水が吸収され、吸収された水は導水部材９０全体に浸透する。つまり、ひだ９１から、植物の根の部分に水が導かれるようになる。このため、植物の根の部分に簡単かつ確実に水を与えることができるようになる。また、導水部材９０には保水効果もあるため、乾燥を防止或いは低減することができる。したがって、植物の管理・育成が容易となる。
［第３実施形態］
次に、第３実施形態の立体花壇装置１について、図１１を用いて説明する。尚、第１実施形態と異なる点を中心に説明する。
【００６０】
第３実施形態では、第１実施形態と比較して、鉢状部材２０において、止め具７０（例えば図９参照）に代えて、図１１（ａ）に示す止め具９５が用いられる点が異なっている。尚、図１１（ｂ）には、止め具９５が装着された鉢状部材２０の概略図を示す。
【００６１】
止め具９５は、図１１（ａ），（ｂ）に示すように環状に形成されており、その内側の面は、保持部材用Ｕ字溝３３と嵌合するように円弧状に突出した形状に構成されている。
また、止め具９５は、その止め具９５を構成する枠体から外部に向かって先細に突出する串状部材９６を複数備えている。具体的に、串状部材９６は、止め具９５の枠体の直径方向に垂直な方向（面ｓに垂直な方向）に突出している。
【００６２】
そして、図１１（ｂ）に示すように、止め具９５は、串状部材９６が鉢状部材２０（本体部材３０）の下側に向かって突出するように、本体部材３０に装着される。尚、止め具９５は、その止め具９５が本体部材３０に装着された状態で、串状部材９６がその本体部材３０の下端（底部４９の下端）よりも下側に突出するように構成されている。
【００６３】
このような止め具９５を用いれば、基礎構造体１０において、鉢状部材保持穴１１を設けなくても良くなる。なぜなら、串状部材９６を基礎構造体１０に突き刺すことによって、鉢状部材２０を基礎構造体１０に対し固定できるためである。
【００６４】
このため、基礎構造体１０において鉢状部材保持穴１１を設けなくても良い分、立体花壇の形成の工数を低減することができる。尚、止め具９５自体は、工業的に、簡単かつ大量に生産することが可能である。
［第４実施形態］
次に、第４実施形態の立体花壇装置１について、図１２を用いて説明する。尚、第１実施形態と異なる点を中心に説明する。
【００６５】
第４実施形態では、第１実施形態と比較して、鉢状部材２０において、止め具７０（例えば図９参照）に代えて、図１２（ａ）に示す止め具９７が用いられる点が異なっている。尚、図１２（ｂ）には、止め具９７が装着された鉢状部材２０の概略図を示す。
【００６６】
止め具９７は、図１２（ａ），（ｂ）に示すように環状に形成されており、その内側の面は、保持部材用Ｕ字溝３３と嵌合するように円弧状に突出した形状に構成されている。そして、止め具９７は、第１実施形態の止め具７０と異なり、突出部材等は設けられておらず、環状の枠体のみから構成される。
【００６７】
このような止め具９７であれば、例えば第１実施形態の止め具７０と比較して生産が容易となり、生産コストを抑えることができる。このため、立体花壇装置１全体のコストを抑えることができる。
【００６８】
以上、本発明の一実施形態について説明したが、本発明は上記実施形態に限定されるものではなく、本発明の技術範囲内において種々の形態をとることができる。
例えば、上記実施形態において、植物を配置したい箇所に、互いに平行な２本のレール部材を設け、そのレール部材上に、鉢状部材２０を載置するように構成しても良い。具体的に、２本のレール部材と本体部材３０における溝３２とが嵌合するように構成すれば良い。２本のレール部材と本体部材３０における溝３２とが嵌合するように構成することで、鉢状部材２０が２本のレール部材の間に保持されるようになる。つまり、このような方法によっても、鉢状部材２０を所望の位置に配置できるようになる。或いは、鉢状部材２０の配置場所によっては、天板３１がレール部材上に載置されるのみの構成としても良い。
【００６９】
また、上記実施形態において、止め具７０、９５、９７を用いないようにしても良い。本体部材３０は、少なくとも保持部材５０により、部品ａ，ｂが組み合わされた状態で保持されるためである。止め具７０、９５、９７を用いないこととすれば、その分コストを抑えることができる。
【００７０】
また、上記実施形態において、基礎構造体１０には、鉢状部材２０を植え込むための鉢状部材保持穴１１が設けられているが、鉢状部材２０を保持可能であれば、穴に限らず、どのような構成を備えていても良い。
【００７１】
また、上記実施形態において、基礎構造体１０の表面を例えばＦＲＰ（繊維強化プラスチック）のプレートで形成すると共にそのプレートに貫通孔を設け、その貫通孔に鉢状部材２０が嵌め込まれるように構成しても良い。尚、この場合、プレートの材質はＦＲＰに限らずどのような材質を用いても良い。
【００７２】
また、上記実施形態において、通気や水はけ改善の役割を果たすものであれば、開口３７ａ、３９ａの数や形状は問わない。
また、上記第２実施形態において、導水部材９０の素材は問わない。例えば、吸水可能なものであれば、不織布以外のどのような素材を用いても良い。さらに、外部から植物の根の部分に導水可能な構成であれば、どのような構成を用いても良い。例えば、導水部材９０を備えることに代えて、外部から植物の根の部分に導水する導水路を設けることとしても良い。
【図面の簡単な説明】
【００７３】
【図１】本発明の立体花壇（立体花壇装置１）の模式図である。
【図２】基礎構造体１０を表す図である。
【図３】鉢状部材２０の斜視図である。
【図４】鉢状部材２０の正面図である。
【図５】鉢状部材２０の側面図である。
【図６】鉢状部材２０の底面図である。
【図７】本体部材３０の詳細図である。
【図８】保持部材５０の詳細図である。
【図９】止め具７０の詳細図である。
【図１０】第２実施形態の鉢状部材２０を表す図面である。
【図１１】第３実施形態の鉢状部材２０を表す図面である。
【図１２】第４実施形態の鉢状部材２０を表す図面である。
【図１３】本発明の立体花壇装置１の図面（写真）である。
【符号の説明】
【００７４】
１…立体花壇装置、１０…基礎構造体、１１…鉢状部材保持穴、２０…鉢状部材、３０…本体部材、３０ａ，３０ｂ…部品、３１…天板、３２…溝、３２ａ…開口、３３…保持部材用Ｕ字溝、３４…止め具用Ｕ字溝、３５…突出部材、３６…開口、３７…側壁、３７ａ…開口、３７ｂ…厚壁、３９…側壁、３９ａ…開口、４８…胴体部、４９…底部、５０…保持部材、５１…枠、５２…突出部、５３…溝、５４…開口部、７０…及び止め具、７０…止め具、７１…枠、７２…突出部材、７３…開口部、９０…不織布、９５…止め具、９６…串状部材、９７…止め具。
【図１】
2009291147.tif 000003
【図２】
2009291147.tif 000004
【図３】
2009291147.tif 000005
【図４】
2009291147.tif 000006
【図５】
2009291147.tif 000007
【図６】
2009291147.tif 000008
【図７】
2009291147.tif 000009
【図８】
2009291147.tif 000010
【図９】
2009291147.tif 000011
【図１１】
2009291147.tif 000012
【図１２】
2009291147.tif 000013
【図１０】
2009291147.tif 000014
【図１３】
2009291147.tif 000015